(57)【要約】  本発明は、取引方法、取引システムおよび装置を開示する。前記方法は、オンラインストアサーバが実店舗情報を管理し、ユーザ端末のログインを受け付けて、ユーザ端末により提出された選択済み商品リストに基づいて対応する商品を持っている実店舗情報を検索し、その中からスクリーニングポリシーに従ってユーザ端末のために適切な実店舗を選択し、選択された実店舗の名称および位置情報をユーザ端末に送信することと、ユーザ端末が商品リストをオンラインストアサーバにより選択された実店舗の実店舗端末に報告し、実店舗端末がユーザ端末により報告された商品リストに基づいて、対応する商品の位置情報を検索してユーザ端末にフィードバックすることと、ユーザ端末が商品の位置情報に基づいて、対応する実店舗端末内の対応する商品を検索し、オンラインストアサーバまたは実店舗端末とのインタラクションにより商品の支払いを完了することとを含む。本発明は、大量の商品情報の検索および選択を実現でき、そしてユーザのショッピング体験を大幅に向上させ、ショッピング品質を確保することができる。【選択図】図３
2016509733.tif 000002
【特許請求の範囲】
【請求項１】
取引方法であって、
オンラインストアサーバが実店舗情報を管理し、ユーザ端末のログインを受け付けて、前記ユーザ端末により提出された選択済み商品リストに基づいて対応する商品を持っている実店舗情報を検索し、その中からスクリーニングポリシーに従って前記ユーザ端末のために適切な実店舗を選択し、選択された実店舗の名称および位置情報を前記ユーザ端末に送信することと、
前記ユーザ端末が商品リストを前記オンラインストアサーバにより選択された実店舗の実店舗端末に報告し、前記実店舗端末が前記ユーザ端末により報告された商品リストに基づいて、対応する商品の位置情報を検索して前記ユーザ端末にフィードバックすることと、
前記ユーザ端末が前記商品の位置情報に基づいて、対応する実店舗端末内の対応する商品を検索し、前記オンラインストアサーバまたは実店舗端末とのインタラクションにより商品の支払いを完了することとを含む、前記取引方法。
【請求項２】
前記実店舗端末が前記ユーザ端末により報告された商品リストに基づいて、対応する商品のラベルを検索して前記ユーザ端末にフィードバックすることと、
前記ユーザ端末が、検索された対応する実店舗端末内の対応する商品のラベルをスキャンし、スキャン結果に基づいて商品チェックを行うこととを含むことを特徴とする
請求項１に記載の取引方法。
【請求項３】
前記商品のラベルは、近接場通信ＮＦＣラベル、無線周波数識別子ＲＦＩＤラベル、２次元コードのうちの一つであることを特徴とする
請求項２に記載の取引方法。
【請求項４】
前記実店舗情報は、実店舗の名称、実店舗の位置、および実店舗の商品情報を含むことを特徴とする
請求項１、２または３に記載の取引方法。
【請求項５】
前記実店舗情報は、実店舗の商品の位置情報をさらに含むことを特徴とする
請求項４に記載の取引方法。
【請求項６】
取引システムであって、
実店舗情報を管理し、ユーザ端末のログインを受け付けて、前記ユーザ端末により提出された選択済み商品リストに基づいて対応する商品を持っている実店舗情報を検索し、その中からスクリーニングポリシーに従って前記ユーザ端末のために適切な実店舗を選択し、選択された実店舗の名称および位置情報を前記ユーザ端末に送信するように構成されるオンラインストアサーバと、
本実店舗情報を管理し、本実店舗情報を前記オンラインストアサーバに報告し、前記ユーザ端末により報告された商品リストに基づいて本実店舗の対応する商品の位置情報を検索して前記ユーザ端末にフィードバックするように構成される実店舗端末と、
前記オンラインストアサーバにログインし、商品を選択して選択済み商品リストを提出し、前記オンラインストアサーバが前記ユーザ端末のために選択した対応する実店舗の名称および位置情報を受信するように構成され、さらに商品リストを前記オンラインストアサーバにより選択された実店舗の実店舗端末に報告し、対応する実店舗端末からフィードバックされた対応する商品の位置情報を受信するように構成されるユーザ端末とを含み、
前記ユーザ端末は、さらに前記商品の位置情報に基づいて、対応する実店舗内の対応する商品を検索し、前記オンラインストアサーバまたは実店舗端末とのインタラクションにより商品の支払いを完了するように構成される、前記取引システム。
【請求項７】
前記実店舗端末は、さらに前記ユーザ端末により報告された商品リストに基づいて対応する商品のラベルを検索して前記ユーザ端末にフィードバックするように構成され、
前記ユーザ端末は、さらに検索された対応する実店舗内の対応する商品のラベルをスキャンし、スキャン結果に基づいて商品チェックを行うように構成されることを特徴とする
請求項６に記載の取引システム。
【請求項８】
オンラインストアサーバであって、
実店舗情報を管理し、ユーザ端末のログインを受付けて、前記ユーザ端末により提出された選択済み商品リストに基づいて対応する商品を持っている実店舗情報を検索し、その中からスクリーニングポリシーに従って前記ユーザ端末のために適切な実店舗を選択し、選択された実店舗の名称と位置情報を第一の端末インタラクションモジュールにより前記ユーザ端末に送信するように構成される実店舗管理モジュールと、
オンラインストアサーバとユーザ端末の間の情報伝送を実行するように構成される前記第一の端末インタラクションモジュールと、
オンラインストアサーバと実店舗端末の間の情報伝送を実行するように構成される第一の実店舗インタラクションモジュールとを含む、前記オンラインストアサーバ。
【請求項９】
前記オンラインストアサーバとユーザ端末の間の情報伝送は、前記ユーザ端末のログインする過程における情報伝送、前記オンラインストアサーバが前記ユーザ端末により提出された選択済み商品リストを受信すること、前記オンラインストアサーバと前記ユーザ端末の商品の支払いを行う過程における情報伝送を含むことを特徴とする
請求項８に記載のオンラインストアサーバ。
【請求項１０】
オンラインストアサーバと実店舗端末の間の情報インタラクションは、前記オンラインストアサーバが前記実店舗端末により報告された実店舗情報を受信することを含むことを特徴とする
請求項８に記載のオンラインストアサーバ。
【請求項１１】
実店舗端末であって、
本実店舗情報を管理し、ユーザ端末により報告された商品リストに基づいて対応する商品の位置情報を検索するように構成される商品管理モジュールと、
前記ユーザ端末により報告された商品リストを受信し、そして検索された対応する商品の位置情報を、対応するユーザ端末にフィードバックするように構成される第二の端末インタラクションモジュールと、
オンラインストアサーバへ本実店舗情報を報告するように構成される第一のネットワークインタラクションモジュールとを含む、前記実店舗端末。
【請求項１２】
前記第二の端末インタラクションモジュールは、さらに前記ユーザ端末とインタラクションを行い、商品の支払いを完了するように構成されることを特徴とする
請求項１１に記載の実店舗端末。
【請求項１３】
ユーザ端末であって、
第二のネットワークインタラクションモジュールによりオンラインストアサーバにログインし、商品を選択して選択済み商品リストを提出するように構成されるショッピングモジュールと、
ユーザ端末とオンラインストアサーバの間の情報伝送を実行するように構成される第二のネットワークインタラクションモジュールと、
前記オンラインストアサーバが前記ユーザ端末のために選択した対応する実店舗の名称および位置情報を受信して記憶するように構成される情報記憶モジュールと、
商品リストを前記オンラインストアサーバにより選択された実店舗端末に報告し、対応する実店舗端末からフィードバックされた対応する商品の位置情報を受信するように構成される第二の実店舗インタラクションモジュールと、
前記オンラインストアサーバまたは実店舗端末とのインタラクションにより商品の支払いを完了するように構成される支払いモジュールとを含む、前記ユーザ端末。
【発明の詳細な説明】
【技術分野】
【０００１】
本発明は、インターネットの情報技術分野に関し、特に取引方法、取引システムおよび装置に関する。
【背景技術】
【０００２】
インターネットおよび電子工業の発展に伴い、人々のショッピングモードがますます多様化となる。通常のショッピングモードは二つである。一つはインターネットに基づく仮想ショッピングであって、このようなショッピングモードにおいて、売り手と買い手および商品が取引過程全体においてインターネットで行うので、品質または詐欺問題が不可避的に存在し、ユーザのサイトショッピング、サイト体験の需要を満たすことができない。もう一つは伝統的な実店舗ショッピングであって、例えば実店舗とカウンタで商品を選択し、購入を確定して現金またはカードで取引することであり、このようなショッピングモードによりユーザのサイト体験の需要を解決できるが、それに商品の選択範囲が小さく、ユーザが大量の商品情報から買い物を自由に選択する需要を満たすことが難しい。
【発明の概要】
【０００３】
これを鑑みて、本発明の実施形態の主な目的は、仮想オンラインショッピングと実店舗ショッピングの融合を実現するための取引方法、取引システムおよび装置を提供することにある。
【０００４】
前記目的を実現するために、本発明の実施形態の技術的解決策は、以下のように実現される。
【０００５】
本実施形態に係る取引方法は、
オンラインストアサーバが実店舗情報を管理し、ユーザ端末のログインを受け付けて、前記ユーザ端末により提出された選択済み商品リストに基づいて対応する商品を持っている実店舗情報を検索し、その中からスクリーニングポリシーに従って前記ユーザ端末のために適切な実店舗を選択し、選択された実店舗の名称および位置情報を前記ユーザ端末に送信することと、
前記ユーザ端末が商品リストを前記オンラインストアサーバにより選択された実店舗の実店舗端末に報告し、前記実店舗端末が前記ユーザ端末により報告された商品リストに基づいて、対応する商品の位置情報を検索して前記ユーザ端末にフィードバックすることと、
前記ユーザ端末が前記商品の位置情報に基づいて、対応する実店舗端末内の対応する商品を検索し、前記オンラインストアサーバまたは実店舗端末とのインタラクションにより商品の支払いを完了することとを含む。
【０００６】
当該方法は、
前記実店舗端末が前記ユーザ端末により報告された商品リストに基づいて、対応する商品のラベルを検索して前記ユーザ端末にフィードバックすることと、
前記ユーザ端末が検索された対応する実店舗端末内の対応する商品のラベルをスキャンし、スキャン結果に基づいて商品チェックを行うこととをさらに含む。
【０００７】
前記商品のラベルは、近接場通信ＮＦＣラベル、無線周波数識別子ＲＦＩＤラベル、２次元コードのうちの一つである。
【０００８】
前記実店舗情報は、実店舗の名称、実店舗の位置、および実店舗の商品情報を含む。
【０００９】
前記実店舗情報は、実店舗の商品の位置情報をさらに含む。
【００１０】
本発明の実施形態に係る取引システムは、
実店舗情報を管理し、ユーザ端末のログインを受け付けて、前記ユーザ端末により提出された選択済み商品リストに基づいて対応する商品を持っている実店舗情報を検索し、その中からスクリーニングポリシーに従って前記ユーザ端末のために適切な実店舗を選択し、選択された実店舗の名称および位置情報を前記ユーザ端末に送信するように構成されるオンラインストアサーバと、
本実店舗情報を管理し、本実店舗情報を前記オンラインストアサーバに報告し、前記ユーザ端末により報告された商品リストに基づいて本実店舗の対応する商品の位置情報を検索して前記ユーザ端末にフィードバックするように構成される実店舗端末と、
前記オンラインストアサーバにログインし、商品を選択して選択済み商品リストを提出し、前記オンラインストアサーバが前記ユーザ端末のために選択した対応する実店舗の名称および位置情報を受信するように構成され、さらに商品リストを前記オンラインストアサーバにより選択された実店舗の実店舗端末に報告し、対応する実店舗端末からフィードバックされた対応する商品の位置情報を受信するように構成されるユーザ端末とを含み、
前記ユーザ端末は、さらに前記商品の位置情報に基づいて、対応する実店舗内の対応する商品を検索し、前記オンラインストアサーバまたは実店舗端末とのインタラクションにより商品の支払いを完了するように構成される。
【００１１】
前記実店舗端末は、さらに前記ユーザ端末により報告された商品リストに基づいて対応する商品のラベルを検索して前記ユーザ端末にフィードバックするよう構成され、
前記ユーザ端末は、さらに検索された対応する実店舗内の対応する商品のラベルをスキャンし、スキャン結果に基づいて商品チェックを行うように構成される。
【００１２】
本発明の実施形態に係るオンラインストアサーバは、
実店舗情報を管理し、ユーザ端末のログインを受付けて、前記ユーザ端末により提出された選択済み商品リストに基づいて対応する商品を持っている実店舗情報を検索し、その中からスクリーニングポリシーに従って前記ユーザ端末のために適切な実店舗を選択し、選択された実店舗の名称と位置情報を第一の端末インタラクションモジュールにより前記ユーザ端末に送信するように構成される実店舗管理モジュールと、
オンラインストアサーバとユーザ端末の間の情報伝送を実行するように構成される前記第一の端末インタラクションモジュールと、
オンラインストアサーバと実店舗端末の間の情報伝送を実行するように構成される第一の実店舗インタラクションモジュールとを含む。
【００１３】
前記オンラインストアサーバとユーザ端末の間の情報伝送は、前記ユーザ端末のログインする過程における情報伝送、前記オンラインストアサーバが前記ユーザ端末により提出された選択済み商品リストを受信すること、前記オンラインストアサーバと前記ユーザ端末の商品の支払いを行う過程における情報伝送を含む。
【００１４】
オンラインストアサーバと実店舗端末の間の情報インタラクションは、前記オンラインストアサーバが前記実店舗端末により報告された実店舗情報を受信することを含む。
【００１５】
本発明に係る実店舗端末は、
本実店舗情報を管理し、ユーザ端末により報告された商品リストに基づいて対応する商品の位置情報を検索するように構成される商品管理モジュールと、
前記ユーザ端末により報告された商品リストを受信し、そして検索された対応する商品の位置情報を対応するユーザ端末にフィードバックするように構成される第二の端末インタラクションモジュールと、
オンラインストアサーバへ本実店舗情報を報告するように構成される第一のネットワークインタラクションモジュールとを含む。
【００１６】
前記第二の端末インタラクションモジュールは、さらに前記ユーザ端末とインタラクションを行い、商品の支払いを完了するように構成される。
【００１７】
本発明に係るユーザ端末は、
第二のネットワークインタラクションモジュールによりオンラインストアサーバにログインし、商品を選択して選択済み商品リストを提出するように構成されるショッピングモジュールと、
ユーザ端末とオンラインストアサーバの間の情報伝送を実行するように構成される第二のネットワークインタラクションモジュールと、
前記オンラインストアサーバが前記ユーザ端末のために選択した対応する実店舗の名称および位置情報を受信して記憶するように構成される情報記憶モジュールと、
商品リストを前記オンラインストアサーバにより選択された実店舗端末に報告し、対応する実店舗端末からフィードバックされた対応する商品の位置情報を受信するように構成される第二の実店舗インタラクションモジュールと、
前記オンラインストアサーバまたは実店舗端末とのインタラクションにより商品の支払いを完了するように構成される支払いモジュールとを含む。
【００１８】
本発明の実施形態に係る取引方法、取引システム及び装置は、オンラインショッピングモードと実店舗または体験店舗のオンラインおよびオフラインリソースを融合し、大量の商品情報の検索および選択を実現することができ、仮想オンラインショッピングモードおよび実店舗ショッピングモードのそれぞれの利点を融合して、利点補完を実現し、ユーザのショッピング体験を大幅に向上させ、ショッピング品質を確保することができる。
【図面の簡単な説明】
【００１９】
【図１】本発明の実施形態に係る取引システムの構造を示す図である。
【図２】本発明の実施形態に係るオンラインストアサーバ、実店舗とユーザ端末の内部構造を示す図である。
【図３】本発明の実施形態に係る取引方法のフローチャートである。
【発明を実施するための形態】
【００２０】
以下、図面と具体的な実施形態を参照して本発明の技術的解決策をさらに説明する。
【００２１】
本発明の実施形態に係る取引システムは、図１に示すように、主にオンラインストアサーバ、実店舗端末およびユーザ端末を含み、それらの間はインタラクションチャネルを介して情報伝送を行う。
【００２２】
ここで、オンラインストアは、ビジネスツービジネス（Ｂ２Ｂ：Ｂｕｓｉｎｅｓｓ  Ｔｏ  Ｂｕｓｉｎｅｓｓ）、ビジネスツー顧客（Ｂ２Ｃ：Ｂｕｓｉｎｅｓｓ  Ｔｏ  Ｃｕｓｔｏｍｅｒ）、顧客ツー顧客（Ｃ２Ｃ：Ｃｕｓｔｏｍｅｒ  ｔｏ  Ｃｕｓｔｏｍｅｒ）、オンラインツーオフライン（Ｏ２Ｏ：Ｏｎｌｉｎｅ  Ｔｏ  Ｏｆｆｌｉｎｅ）などの様々なビジネスプロセスを実現する仮想店舗を含む。
【００２３】
実店舗は、仮想店舗の相対的な用語であり、伝統的なハイパーマーケット、ショッピングモール、店舗であってよく、仮想店舗により確立された新しい体験店舗であってもよい。実店舗は、複数であってよく、各実店舗内に実店舗端末が設定され、当該実店舗端末が本実店舗情報を維持するように構成される。
【００２４】
ユーザ端末は、ユーザがショッピングする個人装置であり、携帯電話、ＰＣマシン、ノートＰＣなどであってよく、上記の装置の組み合わせであってもよい。
【００２５】
インタラクションチャネルは、システム情報伝送を完了し、その物理的なベアラがいずれかのタイプおよび／または形態のネットワークであってよく、ポイントツーポイントネットワーク、ブロードキャストネットワーク、広域ネットワーク、ローカルエリアネットワーク、遠隔通信ネットワーク、データ通信ネットワーク、コンピュータネットワーク、非同期転送モード（ＡＴＭ：Ａｓｙｎｃｈｒｏｎｏｕｓ  Ｔｒａｎｓｆｅｒ  Ｍｏｄｅ）ネットワーク、同期光ネットワーク（ＳＯＮＥＴ：Ｓｙｎｃｈｒｏｎｏｕｓ  Ｏｐｔｉｃａｌ  Ｎｅｔｗｏｒｋ）、同期デジタルハイアラーキ（ＳＤＨ：Ｓｙｎｃｈｒｏｎｏｕｓ  Ｄｉｇｉｔａｌ  Ｈｉｅｒａｒｃｈｙ）ネットワーク、無線ネットワークおよび有線ネットワークのうちのいずれかの一つを含むことができる。
【００２６】
インタラクションチャネル１は、ユーザ端末とオンラインストアサーバとの間のインタラクションチャネルであり、好ましくは、セルラー無線ネットワークをベアラとして選択する。当該インタラクションチャネルにより、端末ユーザは、オンラインストアにログインし、必要な商品リストをブラウズして選択することができ、オンラインストアサーバが商品リストに基づいて、記憶された実店舗情報を取得し、ポリシーに従ってユーザのために適切な実店舗を検索し、実店舗の名称および位置などの情報を当該インタラクションチャネルを介してユーザ端末に伝送する。
【００２７】
インタラクションチャネル２は、ユーザ端末と実店舗端末の間のインタラクションチャネルであり、好ましくは、ＷＩＦＩネットワークをベアラとして選択する。ユーザが商品選択または体験を行うように、ユーザは、実店舗に到達した後に、当該インタラクションチャネルを介して対応する商品リストにおける当該実店舗での商品の具体的な位置を取得することができる。実店舗端末は、他の関連情報、例えば放送情報を当該インタラクションチャネルを介してユーザ端末に伝送することもできる。
【００２８】
インタラクションチャネル３は、オンラインストアサーバと実店舗端末との間のインタラクションチャネルであり、好ましくは、有線ネットワークをベアラとして選択する。当該インタラクションチャネルを介して、実店舗情報をオンラインストアサーバに伝送し、実店舗情報が実店舗の名称、実店舗の位置、実店舗の商品情報などを含み、商品の位置情報（当該実店舗での商品の位置情報、例えばフロア、棚）などを含むことができる。オンラインストアサーバは、需要に応じて、動的情報を報告するように実店舗端末に能動的に要求することもできる。
【００２９】
前記取引システムにおいて、オンラインストアサーバは、実店舗情報を管理し、ユーザ端末のログインを受け付けて、前記ユーザ端末により提出された選択済み商品リストに基づいて対応する商品を持っている実店舗情報を検索し、そしてその中からスクリーニングポリシーに従って前記ユーザ端末のために適切な実店舗を選択し、選択された実店舗の名称および位置情報を前記ユーザ端末に送信するように構成される。
【００３０】
実店舗端末は、本実店舗情報を管理し、本実店舗情報を前記オンラインストアサーバに報告し、前記ユーザ端末により報告された商品リストに基づいて本実店舗の対応する商品の位置情報を検索して前記ユーザ端末にフィードバックするように構成される。
【００３１】
ユーザ端末は、前記オンラインストアサーバにログインし、商品を選択して選択済み商品リストを提出し、前記オンラインストアサーバが前記ユーザ端末のために選択した対応する実店舗の名称および位置情報を受信するように構成され、さらに商品リストを前記オンラインストアサーバにより選択された実店舗の実店舗端末に報告し、対応する実店舗端末からフィードバックされた対応する商品の位置情報を受信するように構成される。
【００３２】
前記ユーザ端末は、さらに前記商品の位置情報に基づいて、対応する実店舗内の対応する商品を検索し、前記オンラインストアサーバまたは実店舗端末とのインタラクションにより商品の支払いを完了するように構成される。
【００３３】
好ましくは、実店舗端末は、さらに前記ユーザ端末により報告された商品リストに基づいて対応する商品のラベルを検索して前記ユーザ端末にフィードバックするように構成される。
【００３４】
ユーザ端末は、さらに検索された対応する実店舗内の対応する商品のラベルをスキャンし、スキャン結果に基づいて商品チェックを行うように構成される。ここで、商品ラベルは、近接場通信（ＮＦＣ：Ｎｅａｒ  Ｆｉｅｌｄ  Ｃｏｍｍｕｎｉｃａｔｉｏｎ）ラベル、無線周波数識別子（ＲＦＩＤ：Ｒａｄｉｏ  Ｆｒｅｑｕｅｎｃｙ  Ｉｄｅｎｔｉｆｉｃａｔｉｏｎ）ラベル、２次元コードのうちの一つを含む。
【００３５】
本システムにより、端末ユーザがオンラインストアサーバにログインする場合、ショッピングしたい商品をブラウズし、選択して商品リストを提出することができ、オンラインストアサーバは、商品リストに基づいて、記憶された実店舗情報を取得し、ポリシーに従って実店舗を選択し、選択された実店舗の名称および位置情報をユーザ端末に伝送する。ユーザは、実店舗に到達し、実店舗での当該商品の具体的な位置情報を取得して対応する商品の選択または体験を行う。その後のショッピングは、オンラインストアサーバによりネットワーク支払いを行ってもよく、実店舗で直接サイト支払いを行ってもよく、このようにしてショッピング手段およびショッピング体験を大幅に豊かにする。
【００３６】
図２は本発明の実施形態に係る取引システムにおけるオンラインストアサーバ、実店舗端末、ユーザ端末の内部構造を示す図である。
【００３７】
ここで、オンラインストアサーバは、実店舗管理モジュール、第一の端末インタラクションモジュール、および第一の実店舗インタラクションモジュールを含む。
【００３８】
実店舗管理モジュールは、実店舗情報を管理し、ユーザ端末のログインを受付けて、前記ユーザ端末により提出された選択済み商品リストに基づいて対応する商品を持っている実店舗情報を検索し、そしてその中からスクリーニングポリシーに従って前記ユーザ端末のために適切な実店舗を選択し、選択された実店舗の名称と位置情報を前記第一の端末インタラクションモジュールにより前記ユーザ端末に送信するように構成される。
【００３９】
第一の端末インタラクションモジュールは、オンラインストアサーバとユーザ端末の間の情報伝送を実行するように構成される。オンラインストアサーバとユーザ端末の間の情報伝送は、少なくとも、前記ユーザ端末のログインする過程における情報伝送、前記オンラインストアサーバが前記ユーザ端末により提出された選択済み商品リストを受信すること、前記オンラインストアサーバと前記ユーザ端末の商品支払いを行う過程における情報伝送を含む。
【００４０】
第一の実店舗インタラクションモジュールは、オンラインストアサーバとユーザ端末の間の情報伝送を実行するように構成される。オンラインストアサーバとユーザ端末の間の情報伝送は、少なくとも、前記オンラインストアサーバが前記実店舗端末により報告された実店舗情報を受信することを含む。
【００４１】
処理効率を向上させるために、実店舗管理モジュールは、データベースモードで実店舗情報の管理を行う。
【００４２】
実店舗端末は、商品管理モジュール、第二の端末インタラクションモジュール、および第一のネットワークインタラクションモジュールを含む。
【００４３】
商品管理モジュールは、本実店舗情報を管理し、ユーザ端末により報告された商品リストに基づいて、対応する商品の位置情報を検索するように構成される。
【００４４】
第二の端末インタラクションモジュールは、前記ユーザ端末により報告された商品リストを受信し、検索された対応する商品の位置情報を対応するユーザ端末にフィードバックするように構成される。
【００４５】
第一のネットワークインタラクションモジュールは、オンラインストアサーバへ実店舗情報を報告するように構成される。
【００４６】
好ましくは、第二の端末インタラクションモジュールは、さらにユーザ端末とインタラクションを行い、商品支払いを行うように構成される。
【００４７】
ユーザ端末は、ショッピングモジュール、第二のネットワークインタラクションモジュール、情報記憶モジュール、第二の実店舗インタラクションモジュール、および支払いモジュールを含む。
【００４８】
ショッピングモジュールは、第二のネットワークインタラクションモジュールによりオンラインストアサーバにログインし、商品を選択して選択済み商品リストを提出するように構成される。
【００４９】
第二のネットワークインタラクションモジュールは、ユーザ端末とオンラインストアサーバとの間の情報伝送を実行するように構成される。
【００５０】
情報記憶モジュールは、前記オンラインストアサーバが前記ユーザ端末のために選択した対応する実店舗の名称および位置情報を受信して記憶するように構成される。
【００５１】
第二の実店舗インタラクションモジュールは、商品リストを前記オンラインストアサーバより選択された実店舗の実店舗端末に報告し、対応する実店舗端末からフィードバックされた対応する商品の位置情報を受信するように構成される。
【００５２】
支払いモジュールは、前記オンラインストアサーバまたは実店舗とのインタラクションにより、商品支払いを完了するように構成される。
【００５３】
好ましくは、ユーザ端末は、ユーザショッピングおよび支払い過程全体における情報を表示し、かつユーザインターフェースインタラクションを行うように構成される表示モジュールをさらに含むことができる。
【００５４】
好ましくは、ユーザ端末は、実店舗端末からフィードバックされた対応する商品の位置情報に基づいて、ユーザ端末の位置情報と組み合わせて全地球測位システム（ＧＰＳ：Ｇｌｏｂａｌ  Ｐｏｓｉｉｏｎｉｎｇ  Ｓｙｓｔｅｍ）ナビゲーションを行うように構成されるナビゲーションモジュールをさらに含むことができる。
【００５５】
本発明の実施形態に係る取引システムによって実現される取引方法は、図３に示すように、以下のステップを含む。
【００５６】
ステップ３０１において、オンラインストアサーバは、実店舗情報を管理し、ユーザ端末のログインを受け付けて、ユーザ端末により提出された選択済み商品リストに基づいて対応する商品を持っている実店舗情報を検索し、その中からスクリーニングポリシーに従ってユーザ端末のために適切な実店舗を選択し、選択された実店舗の名称および位置情報をユーザ端末に送信する。
【００５７】
ステップ３０２において、ユーザ端末は、商品リストをオンラインストアサーバより選択された実店舗の実店舗端末に報告する。
【００５８】
ステップ３０３において、実店舗端末は、ユーザ端末により報告された商品リストに基づいて、対応する商品の位置情報を検索してユーザ端末にフィードバックする。
【００５９】
ステップ３０４において、ユーザ端末は、商品の位置情報に基づいて、対応する実店舗内の対応する商品を検索し、オンラインストアサーバまたは実店舗端末とのインタラクションにより、商品支払いを完了する。
【００６０】
好ましくは、当該方法は、
実店舗端末がユーザ端末により報告された商品リストに基づいて、対応する商品のラベルを検索してユーザ端末にフィードバックすることと、
ユーザ端末が検索された対応する実店舗内の対応する商品のラベルをスキャンし、スキャン結果に基づいて商品チェックを行うこととをさらに含む。
【００６１】
ここで、商品のラベルは、ＮＦＣラベル、ＲＦＩＤラベル、２次元コードのうちの一つであってよい。
【００６２】
実店舗情報は、実店舗の名称、実店舗の位置、および実店舗の商品情報を含み、好ましくは、実店舗の商品の位置情報を含むことができる。
【００６３】
以下、具体的な実施形態を参照して前記取引方法をさらに説明する。当該実施形態において、端末ユーザは、オンラインストアで３つの商品、すなわちＡ、Ｂ、Ｃをショッピングしており、最寄りの店舗で体験し、そして体験店で支払ってショッピングしようとしている。ユーザ端末は、ＧＰＳナビゲーション、ＷＩＦＩおよびＮＦＣ機能をサポートする。実店舗は、オンラインストアサーバへ商品関連情報を定期的に報告し、正確に管理するために、各商品にＮＦＣラベルを貼り付けて、ユーザが検索してチェックすることに供する。取引方法は、主に以下のステップを含む。
【００６４】
ステップａにおいて、端末ユーザは、オンラインストアで商品選択を行い、選択済み商品リストを形成する。
【００６５】
ステップｂにおいて、スクリーニングポリシーは、近い体験（nearby experience）と一度きりの体験（experience once for all）の２つの種類を含み、端末ユーザが近い体験を選択し、端末ユーザの現在の地理位置を入力する。
【００６６】
ステップｃにおいて、オンラインストアサーバは、選択済み商品リストにおける商品に基づいてＡ、ＢまたはＣを持つすべての実店舗を横断し、近い原則（nearby principle）に基づいて、実店舗Ｍを選択し、実店舗Ｍのアドレスをユーザ端末に伝送する。当然、ユーザのためにオンラインストアサーバにより選択された実店舗は複数であってよく、ユーザにより行きたい実店舗を最終的に選択する。
【００６７】
ステップｄにおいて、ユーザ端末は、ＧＰＳナビゲーションシステムをスタートさせ、実店舗Ｍに到達する。
【００６８】
ステップｅにおいて、ユーザ端末は、実店舗Ｍ内のＷＩＦＩにより実店舗Ｍの端末へ商品リストを伝送する。当該商品リストにＡ、Ｂ、Ｃの情報が含まれることができ、当然、ユーザが体験したいまたはショッピングしたい１つまたは少なくとも１つの商品の情報が含まれることができる。
【００６９】
ステップｆにおいて、実店舗Ｍの端末は、受信された商品リストに基づいて、本実店舗での対応する商品の位置情報を検索し、対応する商品の位置情報を返し、対応する商品のＮＦＣラベルをユーザ端末に伝送する。
【００７０】
ステップｇにおいて、端末ユーザは、商品の位置情報に基づいて対応する商品を見つける。
【００７１】
ステップｈにおいて、ユーザ端末は、読み取られた商品のＮＦＣラベルで商品チェックを行う。
【００７２】
ステップｉにおいて、端末ユーザは、ショッピングされる商品を確定して、支払いリストを形成する。
【００７３】
ステップｊにおいて、実店舗Ｍでユーザ端末によりＮＦＣ支払いを行い、支払い過程を完了する。
【００７４】
ステップｋにおいて、ユーザは、実店舗Ｍで物品を取って、取引過程全体を完了する。
【００７５】
上述したように、本発明の実施形態により、仮想オンラインストアサーバと実店舗または体験店舗のオンラインおよびオフラインリソースを融合し、大量の商品情報の検索および選択を実現することができ、仮想ネットワークショッピングモードまたは実店舗ショッピングモードのそれぞれの利点を融合し、利点補完を実現し、ユーザのショッピング体験を大幅に向上させ、ショッピング品質を確保することができる。
【００７６】
上記は、本発明の好ましい実施形態に過ぎなく、本発明の保護範囲を制限することに用いられるものではない。
【図１】
2016509733.tif 000003
【図２】
2016509733.tif 000004
【図３】
2016509733.tif 000005
【国際調査報告】
2016509733.tif 000006
2016509733.tif 000007
2016509733.tif 000008
2016509733.tif 000009
2016509733.tif 000010
2016509733.tif 000011